(57)【要約】【課題】簡易な操作によって子画面の消去及び再表示が可能なＴＶ放送受信機能を具えた情報処理装置を提供する。【解決手段】本発明に係る情報処理装置は、情報処理機能部１、ＴＶ受信機能部２及びディスプレイ５を具え、ディスプレイ５に、情報処理機能部１に対する入力操作を行なうための主画面を表示すると共に、ＴＶ受信機能部２によって受信した映像からなる子画面を表示することが可能であり、情報処理機能部１は、主画面上に子画面が表示された状態でシフトキーを押しながら子画面のエリア内にカーソルを移動させる操作が行なわれたとき、主画面上から子画面の映像を消去し、その後、子画面のエリア外にカーソルを移動させる操作が行なわれたとき、主画面上に子画面の映像を再表示する。【選択図】      図１
2004220235.tif 000002
【特許請求の範囲】
【請求項１】
情報処理機能部（１）、ＴＶ受信機能部（２）及びディスプレイ（５）を具え、ディスプレイ（５）に、情報処理機能部（１）に対する入力操作を行なうための主画面を表示すると共に、該主画面に重ねて、ＴＶ受信機能部（２）によって受信した映像からなる子画面を表示することが可能な情報処理装置において、情報処理機能部（１）は、
ディスプレイ（５）の主画面上に子画面が表示された状態で、ユーザによる特定のキー操作と共に、子画面のエリア外からエリア内にカーソルを移動させる操作が行なわれたとき、主画面上から子画面の映像を消去する子画面消去手段と、
カーソルの移動によって子画面の映像が消去された状態で、該子画面のエリア内からエリア外にカーソルを移動させる操作が行なわれたとき、若しくは、子画面の映像が消去された後の経過時間が所定時間を越えたとき、主画面上に子画面の映像を再表示する子画面再表示手段
とを具えていることを特徴とするＴＶ放送受信機能を具えた情報処理装置。
【請求項２】
情報処理機能部（１）は、カーソルの移動によって子画面の映像が消去されたとき、該子画面の輪郭を表示する輪郭表示手段を具えている請求項１に記載の情報処理装置。
【請求項３】
情報処理機能部（１）は、カーソルの移動によって子画面の映像が消去されたとき、該子画面のエリア内のカーソルをエリア外での表示色とは異なる色で表示する請求項１又は請求項２に記載の情報処理装置。
【発明の詳細な説明】
【０００１】
【発明の属する技術分野】
本発明は、ＴＶ（テレビジョン）受像機を内蔵したパーソナルコンピュータの如く、ＴＶ放送受信機能を具えた情報処理装置に関するものである。
【０００２】
【従来の技術】
従来、ＴＶ受像機において、ディスプレイに１つのチャンネルの受信映像を主画面として表示すると共に、該主画面上に重ねて、他のチャンネルの受信映像を子画面として表示することによって、チャンネルの選択を容易なものとする技術が知られている（例えば特許文献１参照）。
又、主画面上に表示された子画面をユーザのキー操作によってアイコン化して、主画面の表示エリアの拡大を図る技術が知られている（例えば特許文献２）。
【０００３】
更に、近年においては、ＴＶ受像機を内蔵したパーソナルコンピュータが開発されており、該パーソナルコンピュータにおいては、ピクチャー・イン・ピクチャーモード（以下、ＰＩＰモードという）を設定することによって、ディスプレイに、情報処理のための各種の入力操作を行なうことが可能な主画面を表示すると共に、該主画面に重ねて、ＴＶ放送受信映像からなる子画面を表示することが出来る。
【０００４】
【特許文献１】
特開平６−１６４９７３号公報
【特許文献２】
特開２０００−１５２１１９号公報
【０００５】
【発明が解決しようとする課題】
ところで、ＴＶ受像機を内蔵したパーソナルコンピュータにおいては、ＰＩＰモードを設定した状態で、主画面上にて、子画面の下に隠れている領域に入力操作を行なうためには、先ず、主画面上から子画面を消去するためのキー操作を行ない、主画面に対する入力操作の終了後、再びキー操作を行なって、主画面上に子画面を再表示する必要があり、操作が極めて煩雑である問題があった。
そこで本発明の目的は、簡易な操作によって子画面の消去及び再表示が可能な、ＴＶ放送受信機能を具えた情報処理装置を提供することである。
【０００６】
【課題を解決する為の手段】
本発明に係るＴＶ放送受信機能を具えた情報処理装置は、情報処理機能部（１）、ＴＶ受信機能部（２）及びディスプレイ（５）を具え、ディスプレイ（５）に、情報処理機能部（１）に対する入力操作を行なうための主画面を表示すると共に、該主画面に重ねて、ＴＶ受信機能部（２）によって受信した映像からなる子画面を表示する、ＰＩＰモードの設定が可能である。
ここで、情報処理機能部（１）は、
ＰＩＰモードの設定によりディスプレイ（５）の主画面上に子画面が表示された状態で、ユーザによる特定のキー操作と共に、子画面のエリア外からエリア内にカーソルを移動させる操作が行なわれたとき、主画面上から子画面の映像を消去する子画面消去手段と、
カーソルの移動によって子画面の映像が消去された状態で、該子画面のエリア内からエリア外にカーソルを移動させる操作が行なわれたとき、若しくは、子画面の映像が消去された後の経過時間が所定時間を越えたとき、主画面上に子画面の映像を再表示する子画面再表示手段
とを具えている。
【０００７】
上記本発明の情報処理装置においては、ＰＩＰモードの設定によりディスプレイ（５）の主画面上に子画面が表示された状態で、主画面上で、子画面で隠れている領域に対する入力操作を行なう必要が生じた場合、或いは、該領域に表示されている情報を参照せんとする場合、ユーザによる特定のキー操作、例えばキーボードのシフトキーを押下する操作を行ないながら、例えばマウスを操作することによって、子画面のエリア外からエリア内にカーソルを移動させる。これに応じて、情報処理機能部（１）は、主画面上から子画面の映像を消去する。この結果、主画面上で、子画面の下に隠れていた領域に対する入力操作を行なうことが可能となる。
入力操作の終了後は、例えばマウスを操作して、子画面のエリア内からエリア外にカーソルを移動させる。これに応じて、或いは、カーソルの移動によって子画面の映像が消去された状態で所定時間が経過すると、情報処理機能部（１）は、主画面上に子画面の映像を再表示する。この結果、子画面によって再びＴＶ放送を視聴することが出来る。
【０００８】
具体的構成において、情報処理機能部（１）は、カーソルの移動によって子画面の映像が消去されたとき、該子画面の輪郭を表示する輪郭表示手段を具えている。
これによって、ユーザは、子画面の映像が消去された後も、該子画面の位置を認識することが出来る。
【０００９】
他の具体的構成において、情報処理機能部（１）は、カーソルの移動によって子画面の映像が消去されたとき、該子画面のエリア内のカーソルをエリア外での表示色とは異なる色で表示する。
これによって、ユーザは、子画面の映像が消去された後も、カーソルが子画面のエリア内に存在することを認識することが出来る。
【００１０】
【発明の効果】
本発明に係るＴＶ放送受信機能を具えた情報処理装置によれば、子画面のエリア内とエリア外の間でカーソルを移動させるだけで、子画面の消去及び再表示が可能であり、このカーソルの移動は、主画面に対する入力を行なう際に行なうものであるから、煩わしい操作は一切不要となる。
【００１１】
【発明の実施の形態】
以下、ＴＶ受信機能を有するパーソナルコンピュータに本発明を実施した形態につき、図面に沿って具体的に説明する。
本発明に係るパーソナルコンピュータは、図１に示す如く、コンピュータ本来の構成である情報処理機能部（１）に、ＴＶ受像機としてのＴＶ受信機能部（２）を接続して構成され、情報処理機能部（１）には、入力装置としてキーボード（３）やマウス（４）が接続されると共に、出力装置としてディスプレイ（５）が接続されている。又、ＴＶ受信機能部（２）にはアンテナ（６）が接続されている。
【００１２】
情報処理機能部（１）は、種々の制御動作を実行するＣＰＵ（７）と、キーボード（３）及びマウス（４）からの入力信号を受け付けるデバイスコントローラ（８）と、ディスプレイ（５）の動作を制御するディスプレイコントローラ（１０）と、ハードディスクドライブ等の記憶装置（９）と、情報処理のための入力操作を行なうべき主画面の映像に、ＴＶ受信機能部（２）から得られる受信映像を合成し、該合成映像に対して更に、マウス（４）の操作に応じて移動すべきカーソルの映像を合成して、該合成映像をディスプレイ（５）へ供給する画像合成回路（１１）とを具えている。
【００１３】
一方、ＴＶ受信機能部（２）は、アンテナ（６）によって受信されたＴＶ放送波から映像信号及び音声信号を復調する受信・復調回路（１２）と、映像表示に必要な所定の信号再生動作を実行する信号再生回路（１３）と、ＴＶ操作キー（１５）の操作に応じて選局等の所定の制御動作を実行する制御回路（１４）とを具えている。
【００１４】
上記本発明のパーソナルコンピュータは、ＰＩＰモードの設定によって、ディスプレイ（５）に、キーボード（３）やマウス（４）による入力操作が可能な主画面を表示すると共に、該主画面に重ねて、ＴＶ放送の受信映像からなる子画面を表示することが可能である。
【００１５】
図２は、ＰＩＰモードにおいて情報処理機能部（１）のＣＰＵ（７）が実行する子画面表示制御の手続きを表わしている。
先ずステップＳ０にて、ユーザの操作に応じてＰＩＰモードを設定する。
次に、ステップＳ１にて、キーボード（３）のシフトキーが押下されてオンとなったかどうかを判断し、オンとなったときはステップＳ２に移行し、マウス（４）の操作によって移動すべきカーソルが子画面のエリア内に位置するか、エリア外に位置するかを判断する。
【００１６】
ここで、ユーザがマウス（４）を操作して、カーソルが子画面のエリア外からエリア内に移動させると、ステップＳ２にてカーソル位置がエリア内であると判断され、ステップＳ３に移行する。
ステップＳ３では、ＰＩＰモードを解除して、前記画像合成回路（１１）による主画面の映像に対する子画面の映像の合成処理を中断させて、子画面の映像を消去すると共に、それまで表示されていた子画面の輪郭を破線で表示する。
【００１７】
その後、ステップＳ４では、カーソルが子画面のエリア内に位置するか、エリア外に位置するかを判断する。ここで、ユーザがカーソルをエリア外へ移動させると、ステップＳ４からステップＳ１に戻って、シフトキーのオン／オフとカーソル位置の判断を繰り返す（ステップＳＳ１、Ｓ２）。
これに対し、カーソルがエリア内に存在するときは、ステップＳ４からステップＳ５に移行して、カーソルをエリア外での表示色とは異なる色で表示する。その後、ステップＳ６にて、子画面の映像を消去した後の経過時間が予め設定されている時間を経過したかどうかを判断し、ノーと判断されたときはステップＳ４に戻って、カーソル位置の判断を繰り返す。
一方、ステップＳ６にてイエスと判断されたときは、ステップＳ０に戻って、ＰＩＰモードを再設定する。これによって、主画面上に再び子画面の映像が表示されることになる。
【００１８】
図３（ａ）（ｂ）は、上記手続きによって、ディスプレイ（５）の主画面Ａに重ねて表示されている子画面Ｂの消去／再表示の様子を表わしている。
図３（ａ）の如く、主画面Ａ上に子画面Ｂの映像が表示されている状態で、ユーザがキーボード（３）のシフトキーが押下しながらマウス（４）を操作して、図中に鎖線で示す様にカーソルＣを子画面Ｂのエリア外からエリア内に移動させると、図３（ｂ）の如く子画面の映像が消去されると共に、それまで表示されていた子画面の輪郭が破線で表示される。又、カーソルＣの表示色が切り換えられる。
これによって、ユーザは、主画面の全域に対して入力操作を行なうことが可能となる。又、ユーザは、子画面の映像が消去された後も、該子画面の位置を認識することが出来ると共に、カーソルが子画面のエリア内に存在することを認識することが出来る。
【００１９】
その後、ユーザがマウス（４）を操作して、図３（ｂ）に鎖線で示す様にカーソルＣを子画面のエリア外へ移動させ、或いは子画面の映像が消去されてから一定の時間が経過すると、ＰＩＰモードが再設定されて、図３（ａ）の如く主画面Ａ上に子画面Ｂの映像が表示されることになり、ユーザは、再びＴＶ放送を視聴することが出来る。
【００２０】
上述の如く、本発明によれば、シフトキーとマウスの操作によって、子画面のエリア内とエリア外との間でカーソルを移動させるだけで、子画面の消去及び再表示が可能であり、このカーソルの移動操作は、主画面に対する入力を行なう際に必要なものであるから、煩わしい操作は一切不要となる。
【図面の簡単な説明】
【図１】本発明に係るＴＶ受信機能を具えたパーソナルコンピュータの構成を示すブロック図である。
【図２】子画面の消去／再表示の手続きを表わすフローチャートである。
【図３】子画面が消去された状態と再表示された状態が相互に切り換えられる様子を表わす図である。
【符号の説明】
（１）  情報処理機能部
（２）  ＴＶ受信機能部
（３）  キーボード
（４）  マウス
（５）  ディスプレイ
（７）  ＣＰＵ
（１０）  ディスプレイコントローラ
（１１）  画像合成回路
【図１】
2004220235.tif 000003
【図２】
2004220235.tif 000004
【図３】
2004220235.tif 000005